(57)【要約】【課題】ファンシステムの駆動時に、突入電流、スパイク電圧、またはスパイクノイズの発生を効果的に制御し、クライアントシステムとファンシステムとを同時に保護する効果を達成できるファンシステム及びその起動方法を提供する。【解決手段】少なくとも１つの駆動信号と起動信号とを受け、前記起動信号に基づいて少なくとも１つの第１イネーブル信号を発生し、前記駆動信号と前記第１イネーブル信号とを出力する制御装置と、前記制御装置と電気的に接続され、前記第１イネーブル信号を受けて、前記駆動信号の伝送を制御するファン装置とを含むファンシステム。【選択図】図３
2008141938.tif 000002
【特許請求の範囲】
【請求項１】
少なくとも１つの駆動信号と起動信号とを受け、前記起動信号に基づいて少なくとも１つの第１イネーブル信号を発生し、前記駆動信号と前記第１イネーブル信号とを出力する制御装置と、
前記制御装置と電気的に接続され、前記第１イネーブル信号を受けて、前記駆動信号の伝送を制御するファン装置とを含むファンシステム。
【請求項２】
前記起動信号は、低電位信号、または接地信号からなる請求項１に記載のファンシステム。
【請求項３】
前記制御装置と前記ファンにそれぞれ電気的に接続され、前記第１イネーブル信号に基づいて前記駆動信号を前記ファンに伝送する少なくとも１つの第１ホットスワップコントローラと、少なくとも１つのファンを更に含む前記ファン装置を有する請求項１に記載のファンシステム。
【請求項４】
前記制御装置は、遅延イネーブルユニットを含み、
前記遅延イネーブルユニットは、遅延時間を経た後、前記起動信号に基づいて前記第１イネーブル信号を発生する遅延イネーブル回路と、
前記駆動信号に基づいて導通され、第２イネーブル信号を発生するスイッチ素子とを含む請求項１に記載のファンシステム。
【請求項５】
前記遅延イネーブル回路は、互いに電気的に接続され、前記遅延時間を発生するレジスタとコンデンサとを含む請求項４に記載のファンシステム。
【請求項６】
前記制御装置は、分離保護ユニットを更に含み、
前記分離保護ユニットは、前記駆動信号を受ける少なくとも１つの第１保護回路と、
前記第１保護回路と前記遅延イネーブル回路にそれぞれ電気的に接続され、前記駆動信号と前記第１イネーブル信号とを分離する少なくとも１つの第１分離回路とを含む請求項４に記載のファンシステム。
【請求項７】
前記ファン装置は、少なくとも１つのファンと制御ユニットとを更に含み、前記制御ユニットは、前記ファンと電気的に接続され、前記ファン装置は、前記第２イネーブル信号に基づいて前記駆動信号を前記制御ユニットに伝送し、前記制御ユニットがパルス幅変調信号を発生し、前記ファンの回転速度を変調する請求項４に記載のファンシステム。
【請求項８】
前記制御ユニットは、マイクロプロセッサ、デジタル信号プロセッサ、または制御チップからなることを特徴とする請求項７に記載のファンシステム。
【請求項９】
前記制御ユニットと前記ファンに電気的に接続され、前記パルス幅変調信号を前記ファンに伝送する少なくとも１つの第２分離回路を更に含む前記ファン装置を有する請求項７に記載のファンシステム。
【請求項１０】
前記ファン装置は、前記制御装置と前記ファン装置にそれぞれ電気的に接続され、前記第２イネーブル信号に基づいて前記駆動信号を前記制御ユニットに伝送する第２ホットスワップコントローラを更に含むことを特徴とする請求項７に記載のファンシステム。
【請求項１１】
前記第１ピンと第２ピンとを有し、前記第１ピンの長さが前記第２ピンの長さより長く、前記第１ピンが前記駆動信号を受け、前記第２ピンが前記起動信号を受ける接続装置を更に有し、
前記制御装置は、前記接続装置に電気的に接続されることを特徴とする請求項１に記載のファンシステム。
【請求項１２】
前記駆動信号と前記起動信号との間は、順に前記制御装置に入力される間隔時間を有することを特徴とする請求項１１に記載のファンシステム。
【請求項１３】
前記制御装置は、イネーブルユニットを含み、
前記イネーブルユニットは、前記起動信号に基づいて前記第１イネーブル信号を発生する少なくとも１つの第１スイッチ素子と、
前記第１スイッチ素子と電気的に接続され、前記第１イネーブル信号に基づいて第２イネーブル信号を発生する第２スイッチ素子とを含むことを特徴とする請求項１２に記載のファンシステム。
【請求項１４】
前記制御装置は、分離保護ユニットを更に含み、
前記分離保護ユニットは、前記接続装置の前記第１ピンと前記ファン装置とにそれぞれ電気的に接続された少なくとも１つの第１保護回路と、
前記第１保護回路と前記第１スイッチ素子にそれぞれ電気的に接続され、前記駆動信号と前記第１イネーブル信号とを分離する少なくとも１つの第１分離回路とを含むことを特徴とする請求項１３に記載のファンシステム。
【請求項１５】
少なくとも１つのファンを有するファンシステムの起動方法であって、
少なくとも１つの駆動信号と起動信号とを受けるステップと、
遅延時間または遅延間隔を経た後、前記起動信号に基づいて少なくとも１つの第１イネーブル信号を発生するステップと、
前記第１イネーブル信号に基づいて前記駆動信号を出力し、前記ファンを駆動するステップとを含むことを特徴とするファンシステムの起動方法。
【請求項１６】
前記起動信号は、低電位信号または接地信号からなることを特徴とする請求項１５に記載の起動方法。
【発明の詳細な説明】
【技術分野】
【０００１】
本発明は、ファンシステム及びその起動方法に関し、特に、安定度と安全性を高めるファンシステム及びその起動方法に関するものである。
【背景技術】
【０００２】
科学技術の高度な発展に伴って、電子設備の機能に対する要求も高くなり、用いる電子素子の数量と集積度も高くなっている。それに対応して熱放散の需要も大きくなるため、熱放散の機能の良し悪しが直接、電子設備の信頼度と使用寿命に影響してくる。
【０００３】
ファンを用いた熱放散装置は、一般的な構造の設置であり、クライアントシステムに用いられる時、通常は、クライアントの異なる要求に応じてファンの数を増加または減少する。また、制御装置または制御チップによってファンシステムを駆動し、ファンの回転速度を制御することで、ファンをクライアントシステムの実際の運転状況に合わせてファンの回転速度を調整できるようにする。
【０００４】
図１を参照すると、従来のファンシステムは、クライアントシステムＳＢ１と互いに電気的に接続される。ファンシステムは、ホットスワップコントローラ１１、制御装置１２及びファン装置１３を含む。通常、クライアントシステムＳＢ１は、メイン電源ＭＰ１とサブ電源ＳＰ１とを提供し、コネクタＣ１を有する。コネクタＣ１は、メイン電源ＭＰ１より発生された第１駆動信号Ｓ０１とサブ電源ＳＰ１より発生された第２駆動信号Ｓ０２とをファンシステムに伝送する。
【０００５】
ホットスワップコントローラ１１は、互いに電気的に接続された複数のホットスワップユニット１１１、１１２と複数のピン１１３とを有する。ホットスワップユニット１１１、１１２は、クライアントシステムＳＢ１、制御装置１２と及びファン装置１３にそれぞれ電気的に接続され、第１駆動信号Ｓ０１と第２駆動信号Ｓ０２をそれぞれ受ける。
【０００６】
制御装置１２は、デジタル信号プロセッサまたはマイクロプロセッサからなり、ホットスワップユニット１１２は、第２駆動信号Ｓ０２を伝送して制御装置１２を起動する。
【０００７】
ファン装置１３は、制御装置１２と電気的に接続され、複数のファン１３１と複数の分離回路１３２とを有する。ホットスワップユニット１１１は、第１駆動信号Ｓ０１を伝送し、ファン１３１をそれぞれ起動する。分離回路１３２は、制御装置１２とファン１３１との間に電気的に接続され、制御装置１２より発生されたパルス幅変調信号（ＰＷＭ）Ｐをファン１３１に伝送し、ファン１３１がパルス幅変調信号Ｐに基づいて回転速度を変える。
【０００８】
一般的に、ファンシステムは、如何なる状態においてもクライアントシステムＳＢ１に十分な熱放散を提供しなければならない。よって、ファンシステムの中の１つのファン１３１が破損した時、ホットスワップユニット１１１によってホットスワップ（ｈｏｔ−ｓｗａｐ）の方式で、新しいファンに交換され、クライアントシステムＳＢ１の熱放散の要求を維持することができる。しかし、クライアントシステムＳＢ１のメイン電源ＭＰ１とサブ電源ＳＰ１が対応して接続されるホットスワップユニット１１１、１１２に対しては、それぞれ独立した電源で起動されることから、使用者が不適切に抜いた時、ホットスワップコントローラ１１のピンが容易に曲がる以外に、コネクタＣ１との接触点が小さくなることから、接触不良の問題が容易に発生する。
【０００９】
また、ファン１３１のモーター（未図示）は、動的誘導負荷であるため、静止した状態から安定した状態までの起動は、大きな起動電流を必要とする。また、ファンシステムが起動する瞬間は、ファンシステム１とクライアントシステムＳＢ１のコネクタＣ１との間で突入電流（ｉｎｒｕｓｈ ｃｕｒｒｅｎｔ）、スパイク電圧（ｓｐｉｋｅ ｖｏｌｔａｇｅ）、またはスパイクノイズ（ｓｐｉｋｅ ｎｏｉｓｅ）を発生し、ひいては飛火現象、即ち電気アーク（ｅｌｅｃｔｒｉｃ ａｒｃ）を発生し、クライアントシステムＳＢ１、またはファンシステムの損害を招く。
【００１０】
また、ホットスワップコントローラ１１のピン１１３は、通常、フローティングコネクタ（ｆｌｏａｔｉｎｇ ｃｏｎｎｅｃｔｏｒ）（図２）、またはフローティングボード（ｆｌｏａｔｉｎｇ ｂｏａｒｄ）（未図示）となり、ピン１１３がコネクタＣ１に瞬時に接触できるようにする。しかし、これらの方式は、それでもピン１１３でスパイクノイズが発生するのを効果的に完全に制御することができず、且つ、ホットスワップの時、ホットスワップユニット１１１より発生する正または負のスパイクノイズが、メイン電源ＭＰ１の接地ループを経由し、ピン１１３によってファンシステム１の小信号電子素子（未図示）へ損害を及ぼす。そのため、通常、分離回路１３２を加えて保護をする。また、ホットスワップユニット１１１を頻繁に使用した場合、ピン１１３の接触点（ｔｅｒｍｉｎａｌ）が酸化して接触不良の状態を生じ易くする他に、ホットスワップユニット１１１の寿命を低下させ、ファンシステムの品質を下げる。
【００１１】
よって、ファンシステムの駆動時に、突入電流、スパイク電圧、またはスパイクノイズの発生を効果的に制御し、クライアントシステムの保護を同時に達成できる自己保護するファンシステムとその起動方法を如何にして提供するかが重要な課題の１つとなっている。
【発明の開示】
【発明が解決しようとする課題】
【００１２】
上述の課題に鑑みて、本発明の目的は、ファンシステムの駆動時に、突入電流、スパイク電圧、またはスパイクノイズの発生を効果的に制御し、クライアントシステムとファンシステムとを同時に保護する効果を達成できるファンシステム及びその起動方法を提供する。
【課題を解決するための手段】
【００１３】
よって、上述の目的を達成するために、本発明に基づいたファンシステムは、制御装置とファン装置とを含む。前記制御装置は、少なくとも１つの駆動信号と起動信号とを受け、前記起動信号に基づいて少なくとも１つの第１イネーブル信号を発生し、前記制御装置は、前記駆動信号と前記第１イネーブル信号と
を出力する。前記ファン装置は、前記制御装置と電気的に接続され、前記第１イネーブル信号を受けて、前記駆動信号の伝送を制御する。
【００１４】
上述の目的を達成するために、本発明に基づいたファンシステムの起動方法の前記ファンシステムは、少なくとも１つのファンを有し、前記起動方法は、少なくとも１つの駆動信号と起動信号とを受けるステップと、遅延時間または遅延間隔を経た後、前記起動信号に基づいて少なくとも１つの第１イネーブル信号を発生するステップと、前記第１イネーブル信号に基づいて前記駆動信号を出力し、前記ファンを駆動するステップとを含む。
【００１５】
上述の目的を達成するために、本発明に基づいたファンシステムは、接続装置、制御装置及びファン装置を含む。前記接続装置は、第１ピンと第２ピンとを有し、前記第１ピンの長さは、前記第２ピンの長さより長い。前記第１ピンは、少なくとも１つの駆動信号を受け、前記第２ピンは、起動信号を受ける。前記制御装置は、前記接続装置に電気的に接続され、前記起動信号に基づいて少なくとも１つの第１イネーブル信号を発生する。前記制御装置は、前記駆動信号と前記第１イネーブル信号を出力する。前記ファン装置は、前記制御装置と電気的に接続され、前記第１イネーブル信号を受けて、前記駆動信号の伝送を制御する。
【００１６】
上述の目的を達成するために、本発明に基づいたファンシステムの起動方法は、少なくとも１つのファンを有するファンシステムにおいて、第１時間に少なくとも１つの駆動信号を受けるステップと、第２時間に起動信号を受けるステップと、前記起動信号に基づいて少なくとも１つの第１イネーブル信号を発生するステップと、前記第１イネーブル信号に基づいて前記駆動信号を出力し、前記ファンを駆動するステップとを含む。
【００１７】
上述のように、本発明に基づいたファンシステム及びその起動方法によれば、接続装置の複数の第１ピンによって複数の駆動信号を受け、接続装置の第２ピンによって起動信号を受け、且つ、第１ピンの長さが第２ピンの長さより長く、起動信号が駆動信号よりある間隔時間、遅延されて制御装置に入力される以外に、遅延イネーブルユニットによって遅延時間を発生し、遅延イネーブルユニットが遅延時間を経た後、起動信号に基づいてファンを起動することもできる。
【発明の効果】
【００１８】
従来技術に比べると、本発明は、接続装置の第１ピンの長さが第２ピンより長いことから、駆動信号を受けた後、待機状態になり、起動信号を受けてから、駆動信号が作動を開始させる。或いは、遅延ユニットによって起動信号と駆動信号とを同時に受けてから、遅延時間を経た後、起動信号に基づいて作動を開始する。この方式では、本発明は、第２ピンまたは遅延イネーブルユニットによって、ファン装置全体の機能をオンまたはオフにすることができるだけでなく、更に、第１ピンとピンが、接触端で電気アーク（ｅｌｅｃｔｒｉｃ ａｒｃ）を発生しないようにできることもでき、駆動信号を受ける時、正または負のスパイクノイズ（ｓｐｉｋｅ ｎｏｉｓｅ）が、第１ピンまたはピンによって制御装置とファン装置に伝送されない。また、ファンシステムは、遅延時間中に、更に安定した状態を得ることができる。
【発明を実施するための最良の形態】
【００１９】
本発明についての目的、特徴及び長所が一層明確に理解されるよう、以下に実施形態を例示し、図面を参照にしながら、詳細に説明する。
【実施例】
【００２０】
図３を参照すると、本発明の実施例１のファンシステムは、接続装置２１、制御装置２２及びファン装置２３を含む。本実施例のファンシステムは、実施的には、クライアントシステムＳＢ２のコネクタＣ２と互いに電気的に接続され、クライアントシステムＳＢ２より提供された、少なくとも１つの駆動信号Ｓ１１、Ｓ１１’及び起動信号Ｓ１２を受ける。また、本実施例の駆動信号Ｓ１１、Ｓ１１’ 及び起動信号Ｓ１２は、全て異なる電圧レベルからなり、駆動信号Ｓ１１は、実施的には、クライアントシステムＳＢ２のメイン電源ＭＰ２より発生され、駆動信号Ｓ１１’は、サブ電源ＳＰ２より発生される。起動信号Ｓ１２は、実施的には、低電位信号または接地信号からなり、ここでは接地信号を例とする。
【００２１】
本実施例の接続装置２１は、クライアントシステムＳＢ２のコネクタＣ２に電気的に接続された複数の第１ピン２１１と第２ピン２１２とを有する。例えば、第１ピン２１１と第２ピン２１２は、コネクタＣ２の中に挿し込まれ、コネクタＣ２の複数のピン（未図示）と互いに電気的に接続され、駆動信号Ｓ１１、Ｓ１１’及び起動信号Ｓ１２を受ける。また、第１ピン２１１の長さは互いに等しく、第２ピン２１２の長さより長い。
【００２２】
本実施例の制御装置２２は、接続装置２１の第１ピン２１１と第２ピン２１２に電気的に接続され、イネーブルユニット２２１と分離保護ユニット２２２とを有し、イネーブルユニット２２１と分離保護ユニット２２２は、互いに電気的に接続される。
【００２３】
イネーブルユニット２２１は、少なくとも１つの第１スイッチ素子２２１１と第２スイッチ素子２２１２とを含む。ここでは、複数の第１スイッチ素子２２１１を有するイネーブルユニット２２１を例とし、第２スイッチ素子２２１２は、第１スイッチ素子２２１１の中の１つと電気的に接続される。本実施例では、第１スイッチ素子２２１１は、起動信号Ｓ１２を同時に受け、起動信号Ｓ１２に基づいて第１スイッチ素子２２１１を同時に導通し、第１イネーブル信号Ｓ１３を発生する。第２スイッチ素２２１２は、第１イネーブル信号Ｓ１３に基づいて導通され、第２イネーブル信号Ｓ１４を発生する。
【００２４】
分離保護ユニッ２２２は、少なくとも１つの第１保護回路２２２１と少なくとも１つの第１分離回路２２２２とを有する。第１保護回路２２２１は、第１分離回路２２２２と互いに電気的に接続される。ここでは、第１保護回路２２２１と第１分離回路２２２２の数が同じであることを例とする。本実施例では、第１保護回路２２２１は、ファン装置２３と電気的に接続され、駆動信号Ｓ１１を受ける。第１保護回路２２２１は、駆動信号Ｓ１１がファン装置２３に安定して伝送され、逆電流が発生するのを防ぐことができるように設置する。第１分離回路２２２２は、残りの第１スイッチ素子２２１１（即ち、第２スイッチ素子２２１２と接続されていない第１スイッチ素子２２１１）とファン装置２３にそれぞれ電気的に接続される。第１分離回路２２２２は、第１イネーブル信号Ｓ１３を伝送し、駆動信号Ｓ１１と第１イネーブル信号Ｓ１３との接地端子を分離し、正または負のスパイクノイズがメイン電源ＭＰ２の接地端子を経由して、接続されているファン装置２３へ損害を及ぼすのを防ぐ。
【００２５】
また、本実施例のファン装置２３は、少なくとも１つのファン２３１、少なくとも１つの第１ホットスワップコントローラ２３２及び制御ユニット２３３を含み、実質的には、複数のファン２３１、複数の第１ホットスワップコントローラ２３２及び制御ユニット２３３を例とする。第１ホットスワップコントローラ２３２は、制御装置２２と電気的に接続される。第１ホットスワップコントローラ２３２は、分離保護ユニット２２２とファン２３１にそれぞれ電気的に接続され、第１イネーブル信号Ｓ１３を同時に受けて、それに基づいて駆動信号Ｓ１１をファンに伝送し、ファン２３１を起動する。また、ファン装置２３は、第２ホットスワップコントローラ２３４を更に含み、第２ホットスワップコントローラ２３４は、イネーブルユニット２２１と制御ユニット２３３にそれぞれ電気的に接続され、第２イネーブル信号Ｓ１４を受けて、それに基づいて駆動信号Ｓ１１’を制御ユニット２３３に伝送する。
【００２６】
本実施例では、制御ユニット２３３は、ファン２３１と電気的に接続され、パルス幅変調信号（ＰＷＭ）Ｐを発生し、ファン２３１の回転速度を制御する。また、制御ユニット２３３は、駆動信号Ｓ１１’によって駆動される。本実施例の制御ユニット２３３は、実施的には、マイクロプロセッサ、デジタル信号プロセッサ、または制御チップからなることができる。
【００２７】
また、ファン装置２３は、少なくとも１つの第２分離回路２３５を更に含み、第２分離回路２３５は、制御ユニット２３３とファン２３１との間に電気的に接続される。実施的には、複数の第２分離回路２３５からなり、その数量は、ファン２３１の数量と互いに対応する。第２分離回路２３５は、駆動信号Ｓ１１’と制御ユニット２３３との接地端子を分離し、制御ユニット２３３からのパルス幅変調信号Ｐをファン２３１に安定して伝送することができる。
【００２８】
ここでは、本実施例のファンシステムの作動方法を以下に説明する。ファンシステムとクライアントシステムＳＢ２を電気的に接続させる時、接続装置２１の第１ピン２１１は、コネクタＣ２と先に接触する。この時、制御装置２２は、第１ピン２１１によって駆動信号Ｓ１１、Ｓ１１’を同時に受ける。続いて、第２ピン２１２がコネクタＣ２と再度接触し、起動信号Ｓ１２を受ける。即ち、駆動信号Ｓ１１、Ｓ１１’は、起動信号Ｓ１２との間にある間隔時間を有し、順にファンシステムに入力される。この時、制御装置２２のイネーブルユニット２２１は、起動信号Ｓ１２に基づいて、第１イネーブル信号Ｓ１３を発生し、第２スイッチ素子２２１２を同時に導通して第２イネーブル信号Ｓ１４を発生し、第２イネーブル信号Ｓ１４をファン装置２３に伝送する。分離保護ユニット２２２は、駆動信号Ｓ１１と第１イネーブル信号Ｓ１３とをファン装置に２３に直接伝送でき、クライアントシステムＳＢ２とイネーブルユニット２２１に逆向きに入力しないように設置する。ファン装置２３の第１ホットスワップコントローラ２３２は、第１イネーブル信号Ｓ１３に基づいて駆動信号Ｓ１１をファン２３１に伝送し、ファン２３１を起動する。また、第２ホットスワップコントローラ２３４は、第２イネーブル信号Ｓ１４に基づいて駆動信号Ｓ１１’により制御ユニット２３３を起動させる。制御ユニット２３３は、パルス幅変調信号Ｐによってファン２３１の回転速度を制御する。
【００２９】
接続装置２１の第１ピン２１１の長さが第２ピン２１２の長さより長いことから、第１ピン２１１が駆動信号Ｓ１１を受けた後、ファン２３１を直ちに起動せずに、第２ピン２１２が起動信号Ｓ１２を受けてから、制御装置２２が起動信号Ｓ１２に基づいて作動を開始し、ファン２３１を駆動する。この方式は、第２ピン２１２によってファン装置２３全体の機能をオンまたはオフにすることができるだけでなく、第１ピン２１１が駆動信号Ｓ１１を受ける時に電気アーク（ｅｌｅｃｔｒｉｃ ａｒｃ）と正または負のスパイクノイズ（ｓｐｉｋｅ ｎｏｉｓｅ）が発生しないように設置することもできる。また、分離保護ユニット２２２は、制御装置２２が駆動信号Ｓ１１をファン装置２３に伝送する時に、ファン装置２３の端子でメイン電源ＭＰ２より発生されるスパイク電圧（ｓｐｉｋｅ ｖｏｌｔａｇｅ）、または突入電流（ｉｎｒｕｓｈ ｃｕｒｒｅｎｔ）を効果的に制御することができる以外に、分離保護ユニット２２２は、ホットスワップコントローラ２３２に更に合わせられ、ファン装置２３を起動する瞬間に発生されるスパイクノイズ（ｓｐｉｋｅ ｎｏｉｓｅ）を制御することができる。
【００３０】
以下、本発明の実施例１に基づいたファンシステムの起動方法を叙述する。図４を参照すると、本発明の実施例１のファンシステムの起動方法は、上述の実施例１（図３）のファンシステムに用いることができ、ここでは、実施例１のファンシステムに用いられるものを例とする。
【００３１】
本実施例では、ファンシステムの起動方法は、ステップＳ１〜Ｓ４を含む。
【００３２】
ステップＳ１は、第１時間で少なくとも１つの駆動信号Ｓ１１、Ｓ１１’を受ける。
【００３３】
ステップＳ２は、第２時間で起動信号Ｓ１２を受け、第１時間と第２時間との間は、ある間隔時間を有する。起動信号Ｓ１２は、低電位信号または接地信号である。
【００３４】
ステップＳ３は、起動信号Ｓ１２に基づいて少なくとも１つの第１イネーブル信号Ｓ１３を発生する。
【００３５】
ステップＳ４は、第１イネーブル信号Ｓ１３に基づいて、駆動信号Ｓ１１を出力し、ファンを駆動する。
【００３６】
以下、図５を参照して、本発明の実施例２に基づいたファンシステムを説明する。ファンシステムは、接続装置３１、制御装置３２及びファン装置３３を含む。ファンシステムは、クライアントシステムＳＢ３のコネクタＣ３と互いに電気的に接続される。本実施例のファンシステムは、クライアントシステムＳＢ３の接続方式、クライアントシステムＳＢ３の構造、特徴及び効果は、実施例１（図３）と同じであるため、ここでは記述しない。本実施例のクライアントシステムＳＢ３の提供する起動信号Ｓ２２と少なくとも１つの駆動信号Ｓ２１、Ｓ２１’とは、実施例１の起動信号Ｓ１２と駆動信号Ｓ１１と同じ特徴と効果とを有するため、ここでは記述しない。
【００３７】
また、本実施例の接続装置３１は、複数のピン３１１を有し、ピン３１１は、クライアントシステムＳＢ３が伝送した駆動信号Ｓ２１、Ｓ２１’及び起動信号Ｓ２２を受ける。
【００３８】
制御装置３２は、遅延イネーブルユニット３２１と分離保護ユニット３２２とを有し、接続装置３１のピン３１１と電気的に接続される。
【００３９】
遅延イネーブルユニット３２１は、遅延イネーブル回路３２１１とスイッチ素子３２１２とを含む。また、遅延イネーブル回路３２１１は、実施的には、一般のＲＣ遅延回路からなることができ、互いに電気的に接続されたレジスタ（未図示）とコンデンサ（未図示）とを有し、レジスタとコンデンサは、互いに組み合わせられ、遅延時間を発生する。遅延イネーブル回路３２１１とスイッチ素子３２１２が起動信号Ｓ２２を同時に受けた時、遅延イネーブル回路３２１１は、遅延時間を経てから、起動信号Ｓ２２に基づいて第１イネーブル信号Ｓ２３を発生し、スイッチ素子３２１２は、起動信号Ｓ２２に基づいて導通され、第２イネーブル信号Ｓ２４を発生する。本実施例の第１イネーブル信号Ｓ２３と第２イネーブル信号Ｓ２４は、実施例１の第１イネーブル信号Ｓ１３と第２イネーブル信号Ｓ１４と同じ特徴と効果を有するため、ここでは記述しない。
【００４０】
本実施例の分離保護ユニット３２２は、少なくとも１つの第１保護回路３２２１と少なくとも１つの第１分離回路３２２２とを含む。第１保護回路３２２１は、第１分離回路３２２２と互いに電気的に接続され、ここでは、複数の第１保護回路３２２１と同数の第１分離回路３２２２を有する分離保護ユニット３２２を例とする。本実施例では、第１保護回路３２２１は、ファン装置３３と電気的に接続され、駆動信号Ｓ２１を受ける。第１保護回路３２２１は、駆動信号Ｓ２１がファン装置３３に安定して伝送され、逆電流が発生するのを防ぐように設置する。第１分離回路３２２２は、遅延イネーブルユニット３２１の遅延イネーブル回路３２１１とファン装置３３に互いに電気的に接続される。第１分離回路３２２２は、駆動信号Ｓ２１と第１イネーブル信号Ｓ２３との接地端子を分離し、正または負のスパイクノイズがメイン電源ＭＰ３の接地ループを経由して、続くファン装置３３へ損害を及ぼすのを防ぎ、第１イネーブル信号Ｓ２３を伝送する効果を同時に有する。
【００４１】
本実施例のファン装置３３は、少なくとも１つのファン３３１、少なくとも１つの第１ホットスワップコントローラ３３２及び制御ユニット３３３を含み、実質的には、複数のファン３３１、複数の第１ホットスワップコントローラ３３２及び制御ユニット３３３を例とする。第１ホットスワップコントローラ３３２は、制御装置３２の分離保護ユニット３２２とファン３３１にそれぞれ電気的に接続される。また、ファン装置３３は、第２ホットスワップコントローラ３３４を更に含み、第２ホットスワップコントローラ３３４は、遅延イネーブルユニット３２１と制御ユニット３３３にそれぞれ電気的に接続される。また、ファン装置３３は、少なくとも１つの第２分離回路３３５を更に含み、第２分離回路３３５は、制御ユニット３３３とファン３３１の間に電気的に接続され、実施的には、複数の第２分離回路３３５からなり、その数量は、ファン３３１の数量と互いに対応する。
【００４２】
本実施例のファン装置３３のファン３３１、第１ホットスワップコントローラ３３２、制御ユニット３３３、第２分離回路３３５及び第２ホットスワップコントローラ３３４は、上述の実施例１のファン装置２３のファン２３１、第１ホットスワップコントローラ２３２、制御ユニット２３３、第２分離回路２３５及び第２ホットスワップコントローラ２３４と同じ特徴と効果を有することから、ここでは記述しない。
【００４３】
ここでは、本実施例のファンシステムの作動方法を以下に説明する。ファンシステムとクライアントシステムＳＢ３が互いに電気的に接続される時、制御装置３２は、接続装置３１のピン３１１によって駆動信号Ｓ２１、Ｓ２１’を同時に受ける。この時、スイッチ素子３２１２は、起動信号Ｓ２２に基づいて、第２イネーブル信号Ｓ２４を発生し、ファン装置３３に伝送する。遅延イネーブル回路３２１１は、遅延時間を発生し、遅延時間を経てから、起動信号Ｓ２２に基づいて第１イネーブル信号Ｓ２３を発生する。分離保護ユニット３２２は、駆動信号Ｓ２１と第１イネーブル信号Ｓ２３との接地端子を分離し、駆動信号Ｓ２１と第１イネーブル信号Ｓ２３がファン装置に３３に直接伝送でき、クライアントシステムＳＢ３と遅延イネーブルユニット３２１に逆向きに入力されないように設置する。ファン装置３３の第１ホットスワップコントローラ３３２は、第１イネーブル信号Ｓ２３に基づいて駆動信号Ｓ２１をファン３３１に伝送し、ファン３３１を起動する。また、第２ホットスワップコントローラ３３４は、第２イネーブル信号Ｓ２４に基づいて駆動信号Ｓ２１’で制御ユニット３３３を起動させる。制御ユニット３３３は、パルス幅変調信号Ｐによってファン３３１の回転速度を制御する。
【００４４】
遅延イネーブルユニット３２１が遅延イネーブル回路３２１１によってイネーブル時間を遅延することから、制御装置３２が起動信号Ｓ２２及び駆動信号Ｓ２１、Ｓ２１’を同時に受けた後、ファン３３１を直ちに起動せずに、遅延時間を経てから、遅延イネーブルユニット３２１が起動信号Ｓ２２に基づいて作動を開始し、ファン３３１を駆動する。この方式は、遅延イネーブルユニット３２１によってファン装置３３全体の機能をオンまたはオフにすることができるだけでなく、ファンシステム全体を遅延時間内で安定した状態にさせることができ、ピン３１１が駆動信号Ｓ２１、Ｓ２１’を受ける瞬間に電気アークが発生するのを防ぐことができる以外に、正または負のスパイクノイズが発生するのを防ぐこともできる。本実施例は、上述の実施例１の分離保護ユニット２２２が有する同じ効果も有するがここでは記述しない。
【００４５】
以下、図６を参照して、本発明の実施例２に基づいたファンシステムの起動方法を叙述する。ここでは、ファンシステム（図５）に用いられるものを例とする。
【００４６】
本実施例では、ファンシステムの起動方法は、ステップＳ５〜Ｓ７を含む。
【００４７】
ステップＳ５は、少なくとも１つの駆動信号Ｓ２１、Ｓ２１’及び起動信号Ｓ２２を受ける。
【００４８】
ステップＳ６は、遅延時間を経て、起動信号Ｓ２２に基づいて少なくとも１つの第１イネーブル信号Ｓ２３を発生する。本実施例の起動信号Ｓ１２は、低電位信号または接地信号である。
【００４９】
ステップＳ７は、第１イネーブル信号Ｓ２３に基づいて駆動信号Ｓ２１、Ｓ２１’を出力し、ファンを駆動する。
【００５０】
上述のように、本発明のファンシステム及びその起動方法は、接続装置が有する第１ピンの長さが第２ピンの長さより長いことにより、第１ピンがクライアントシステムのコネクタに確実に電気的に接続されてから、第２ピンによってコネクタに電気的に接続して起動信号を受け、ファン（または前記ファン）を起動する。或いは、遅延イネーブルユニットによって起動信号と駆動信号とを同時に受けてから、遅延時間を経た後、起動信号に基づいてファンを起動する。よって、第２ピンまたは遅延イネーブルユニットによって、ファン装置全体の機能をオンまたはオフにすることができるだけでなく、更に、第１ピンまたはピンとコネクタとの接触端で電気アーク（ｅｌｅｃｔｒｉｃ ａｒｃ）が発生しないように設置することもでき、且つ、正または負のスパイクノイズ（ｓｐｉｋｅ ｎｏｉｓｅ）が、第１ピンまたはピンによって制御装置とファン装置に伝送するのを防ぐことができる。また、ファンシステムは、遅延時間中に全体的に安定した状態を得ることができる。また、分離保護ユニットは、制御装置が駆動信号をファン装置に伝送する時に、ファン装置の端子でメイン電源ループより発生されるスパイク電圧（ｓｐｉｋｅ ｖｏｌｔａｇｅ）または突入電流（ｉｎｒｕｓｈ ｃｕｒｒｅｎｔ）と、ファン装置を起動する瞬間に発生されるスパイクノイズ（ｓｐｉｋｅ ｎｏｉｓｅ）とを効果的に制御することができる。
【００５１】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００５２】
【図１】従来のファンシステムの概略図である。
【図２】従来のファンシステムのホットスワップコントローラのピンの構造図である。
【図３】本発明の実施例１に基づいたファンシステムの概略図である。
【図４】本発明の実施例１に基づいたファンシステムの起動方法の流れ図である。
【図５】本発明の実施例２に基づいたファンシステムの概略図である。
【図６】本発明の実施例２に基づいたファンシステムの起動方法の流れ図である。
【符号の説明】
【００５３】
１１  ホットスワップコントローラ
１１１、１１２  ホットスワップユニット
１１３  ピン
１２、２２、３２  制御装置
１３、２３、３３  ファン装置
１３１、２３１、３３１  ファン
１３２  分離回路
２１、３１  接続装置
２１１  第１ピン
２１２  第２ピン
２２１  イネーブルユニット
２２１１  第１スイッチ素子
２２１２  第２スイッチ素子
２２２、３２２  分離保護ユニット
２２２１、３２２１  第１保護回路
２２２２、３２２２  第１分離回路
２３２、３３２  第１ホットスワップコントローラ
２３３、３３３  制御ユニット
２３４、３３４  第２ホットスワップコントローラ
２３５、３３５  第２分離回路
３１１  ピン
３２１  遅延イネーブルユニット
３２１１  遅延イネーブル回路
３２１２  スイッチ素子
Ｃ１、Ｃ２、Ｃ３  コネクタ
ＭＰ１、ＭＰ２、ＭＰ３  メイン電源
ＳＢ１、ＳＢ２、ＳＢ３  クライアントシステム
ＳＰ１、ＳＰ２、ＳＰ３  サブ電源
Ｓ０１  第１駆動信号
Ｓ０２  第２駆動信号
Ｓ１１、Ｓ１１’、Ｓ２１、Ｓ２１’  駆動信号
Ｓ１２、Ｓ２２  起動信号
Ｓ１３、Ｓ２３  第１イネーブル信号
Ｓ１４、Ｓ２４  第２イネーブル信号
Ｐ  パルス幅変調信号
Ｓ１〜Ｓ４、Ｓ５〜Ｓ７  起動方法のステップ
【図１】
2008141938.tif 000003
【図２】
2008141938.tif 000004
【図３】
2008141938.tif 000005
【図４】
2008141938.tif 000006
【図５】
2008141938.tif 000007
【図６】
2008141938.tif 000008